(57)【要約】【課題】施工箇所への適用性が高く、且つ容易に施工し得るプレキャストコンクリート製品からなる擁壁を提供する。【解決手段】本発明に係る擁壁は、プレキャストコンクリート製品からなり、一端が自由端である底版と、この底版の他端縁から上方に立設されるたて壁とを有する擁壁であって、前記底版が、据付対象である支持層に一部が埋設された状態で上下方向への移動が禁止されるアンカー部材を取り付けるための開口、前記アンカー部材の前記底版に対する下方向の移動を禁止する下移動禁止面、及び前記アンカー部材の前記底版に対する上方向の移動を禁止する上移動禁止面を有するアンカー取付部を具備することを特徴とする。【選択図】図３
2016160628.tif 000002
【特許請求の範囲】
【請求項１】
プレキャストコンクリート製品からなり、一端が自由端である底版と、この底版の他端縁から上方に立設されるたて壁とを有する擁壁であって、
前記底版が、据付対象である支持層に一部が埋設された状態で上下方向への移動が禁止されるアンカー部材を取り付けるための開口及び前記アンカー部材に対する前記底版の上方向の移動を禁止する上移動禁止面を有するアンカー取付部を具備することを特徴とする擁壁。
【請求項２】
前記アンカー取付部が、前記アンカー部材に対する前記底版の下方向の移動を禁止する下移動禁止面を有している請求項１記載の擁壁。
【請求項３】
前記底版の寸法が、前記たて壁の寸法の半分以下に設定されている請求項１又は２記載の擁壁。
【請求項４】
前記アンカー取付部を複数有している請求項１、２又は３記載の擁壁。
【請求項５】
前記アンカー取付部が、前記アンカー部材の上端を前記底版の上面よりも下側に位置付けるための収容凹部を有している請求項１、２、３又は４記載の擁壁。
【請求項６】
前記開口が、前記アンカー部材が有するボルトを挿通させるためのボルト挿通孔である請求項１、２、３、４又は５記載の擁壁。
【請求項７】
請求項１乃至６何れかに記載の擁壁を施工箇所に据え付けるための擁壁の据付方法であって、
擁壁を据え付ける据付対象である支持層にアンカー部材を埋設するアンカー埋設工程と、
前記支持層に土台コンクリートを設けるべくコンクリートを打設するコンクリート打設工程と、
このコンクリート打設工程により設けられた土台コンクリート上に前記擁壁を載置する擁壁載置工程と、
前記アンカー部材を前記アンカー取付部に対し緊締するアンカー緊締工程と
を有することを特徴とする擁壁の据付方法。
【請求項８】
前記アンカー部材が前記支持層に挿入される挿入軸部とこの挿入軸部の軸心周りに設けられ前記支持層に対する軸方向の移動を禁止するための抜け止め部を有するものであり、これら挿入軸部及び抜け止め部の一部が前記土台コンクリート内に配される請求項７記載の擁壁の据付方法。
【請求項９】
前記土台コンクリート内に鉄筋を配していない請求項８記載の擁壁の据付方法。
【請求項１０】
前記抜け止め部が、前記軸挿入部の軸心周りに螺旋状に形成された螺旋要素である請求項８又は９記載の擁壁の据付方法。
【発明の詳細な説明】
【技術分野】
【０００１】
本発明は、道路等を施工する際に一部を土中に埋設される擁壁に関するものである。
【背景技術】
【０００２】
従来、基礎である土台コンクリートの上面に沿って水平方向に延出する底版と、この底版の一方の縁部から上方へ立設されるたて壁とを有し、これら底版及びたて壁の先端を自由端とした、断面視概略Ｌ字形の擁壁が周知である（例えば、特許文献１参照）。近年では当該擁壁を、プレキャスト（コンクリート）製品によって構成する技術が提案されている。斯かるプレキャスト製品からなる擁壁は、現場打ちによるものよりも工期の短縮を図ることができるという利点を有する。現在、斯かるプレキャスト製品からなる擁壁の場合、一体型で成形されたものが使用されている(例えば、特許文献１参照)。
【０００３】
そして通常、擁壁の大きさすなわち寸法は、施工箇所の条件、すなわち地形に設けたい段差の高さに応じて決定される。すなわち前記段差の高さに応じてたて壁の高さ寸法が求められ、当該たて壁の高さ寸法から底版の長さが決定される。そして、この底版の長さに応じて基礎である土台コンクリートを打設しなければならないため、擁壁の施工に際しては、底版の長さ寸法以上の寸法の地面を掘削しなければならない。すなわち、地形に設けたい段差の高さが高い程、地面を掘削する面積が大きくなり、掘削土量が多くなる。
【先行技術文献】
【特許文献】
【０００４】
特開２００５−２８２２１６号公報
【発明の概要】
【発明が解決しようとする課題】
【０００５】
上記のような状況もあり、施工箇所に応じて擁壁の大きさは様々の大きさのものが要求される反面、運搬上の制約を勘案すると、プレキャスト製品としての擁壁の大きさは限られてしまうため、施工箇所によってはプレキャスト製品では対応できない場合があった。換言すれば、一般道を大型車両といった車両によって運搬するという運搬上の制約を勘案した結果、一体型で対応できる擁壁高さの限界は、例えば４ｍ〜５ｍ程度とされていた。その結果、擁壁高さが４ｍ〜５ｍを超える場合は、現場打ち擁壁となるか、底版部を所定長さよりも短く成形し、機械式継手などを取り付けて現地でコンクリート打設して所定の底版長さとする（底版が短いと設置時の安定性が悪く、転倒防止対策などが必要となる。）といった方策が採られることになる。そうなると、現地で打設したコンクリート部分の強度が発現するまでの養生期間が掛かってしまうため、プレキャスト製品を適用することによる工期の短縮という長所を十分に活かせない施工を強いられる。
【０００６】
しかも山間部や、複雑な地形をなす、所謂狭隘地と呼ばれるような箇所や、土地の境界等の条件により必要十分な面積を掘削できない箇所が施工箇所となる場合では更なる制限が課される。これらのような要因によって、上述したようなプレキャスト製品からなる擁壁の適用が困難な場合があった。
【０００７】
加えて施工箇所が軟弱な地盤である場合は通常、基礎である土台コンクリートから下方に杭を打ち込み、この杭の上端を土台コンクリート内の鉄筋に係り合わせることで土台コンクリートを安定させるという、所謂「杭基礎」を施工するという方策が採られる。すなわち施工箇所が軟弱な地盤である場合には更に、基礎である土台コンクリート部には、鉄筋を配置しなくてはならない。
【０００８】
本発明は、このような不具合に着目したものであり、施工箇所への適用性が高く、且つ容易に施工し得るプレキャストコンクリート製品からなる擁壁を提供することを目的としている。
【課題を解決するための手段】
【０００９】
本発明は、このような目的を達成するために、次のような手段を講じたものである。
【００１０】
すなわち本発明に係る擁壁は、プレキャストコンクリート製品からなり、一端が自由端である底版と、この底版の他端縁から上方に立設されるたて壁とを有するものであって、前記底版が、据付対象である支持層に一部が埋設された状態で上下方向への移動が禁止されるアンカー部材を取り付けるための開口及び前記アンカー部材の前記底版に対する上方向の移動を禁止する上移動禁止面を有するアンカー取付部を具備することを特徴とする。
【００１１】
ここで、自由端とは、例えば底版の両端からたて壁が延出する態様としたＵ字形としたり、さらに頂版を加えた矩形環状をなしたりするようなコンクリート製品を含まない概念である。すなわち本発明に係る擁壁とは、地形に所定寸法の段差や、土砂の安息角を超える傾斜をなすようにたて壁を設けるために、土台コンクリートといった基礎上に設置され底版及びたて壁の一部が埋設されるように施工される擁壁を指すものである。
【００１２】
このようなものであれば、底版にアンカー取付部を設けることによって、底版がたて壁の下端から延出する寸法をこれまでよりも小さくしても、支持層に上下動が禁止された状態で埋設されたアンカー部材に対し底版の上移動が禁止されるので、滑動及び転倒に対する耐性を有効に向上させることができる。施工箇所においてこれまでよりも土を掘削し得る面積が小さい場合であっても滑動及び転倒という不具合を有効に回避することができる。換言すれば、掘削する面積を小さくして掘削土量を少なくすることにも資する。加えて据え付ける対象である地盤が軟弱であるとされる場合であっても上述したアンカー部材の作用によって、滑動及び転倒という不具合をより有効に回避し得る。
【００１３】
そして、軟弱地盤に対する適応性を更に向上させるためには、アンカー取付部が、アンカー部材に対する下方向の移動を禁止する下移動禁止面を設けておくことが望ましい。
【００１４】
さらに、底版の延出寸法を小さくすることができる結果、擁壁全体の外形、すなわちコンクリート製品を運搬するために必要な容積を小さくすることができる。これにより、限られた容積内に擁壁を積載する際に生じる空きスペースを小さくすることができる。すなわち本発明によればプレキャスト製品からなる擁壁の運搬性能を向上させることができる。すなわち本発明によれば、施工箇所への適用性が高く、且つ容易に施工し得るプレキャストコンクリート製品からなる擁壁を提供することができる。
【００１５】
上述したアンカー取付部を設けることにより、施工箇所への運搬をより行い易くするためには、底版の寸法を、たて壁の寸法の半分以下に設定することが好ましい。これにより、外形のコンパクト化による効率の高い運搬が行われるのみならず擁壁自体の軽量化も図られ、据付もより容易なものとなる。しかも擁壁自体の外形が有効に削減されることによって、擁壁を保管するための保管スペースも有効に削減することができる。
【００１６】
そして底版の上下方向の移動のみならず水平方向の移動をも有効に禁止する事で、特に滑動に対する耐性をより有効に向上させるためには、アンカー取付部を複数設けておく事が望ましい。これにより、単一のアンカー部材を中心とした水平方向に回転するような滑動をも有効に禁止することができる。
【００１７】
アンカー取付部又はアンカー部材が擁壁の据付、施工後の一連の作業に干渉してしまうことを有効に回避するための構成としてアンカー取付部が、アンカー部材の上端を底版の上面よりも下側に位置付けるための収容凹部を有している構成を挙げることができる。
【００１８】
アンカー取付部を簡素な構成として擁壁の製造をより容易なものとするためには、開口を、アンカー部材が有するボルトを挿通させるためのボルト挿通孔とすることが望ましい。ここで、ボルト挿通孔の数は限定されない。つまり、アンカー部材の形状や取付態様によって種々の形状を適用し得る。
【００１９】
ここで、上述した擁壁を施工箇所に据え付けるための本発明に係る擁壁の据付方法は、擁壁を据え付ける据付対象である支持層にアンカー部材を埋設するアンカー埋設工程と、支持層に土台コンクリートを設けるべくコンクリートを打設するコンクリート打設工程と、このコンクリート打設工程により設けられた土台コンクリート上に擁壁を載置する擁壁載置工程と、アンカー部材をアンカー取付部に対し緊締するアンカー緊締工程とを有することを特徴とする。
【００２０】
ここで本発明に係る擁壁の据付方法では、アンカー埋設工程は土台コンクリートを打設するに先だって行っても良いし、土台コンクリート打設後にアンカー埋設工程を行ってもよい。後者の場合、土台コンクリートには支持層へのアンカー埋設時に干渉しない形状に構成しておくと良い。
【００２１】
アンカー部材がより安定した状態で擁壁を据え付けるようにするためには、アンカー部材が支持層に挿入される挿入軸部とこの挿入軸部の軸心周りに設けられ支持層に対する軸方向の移動を禁止するための抜け止め部を有するものであり、これら挿入軸部及び抜け止め部の一部が土台コンクリート内に配されるようにすることが好ましい。
【００２２】
上述した擁壁の据付をより迅速に行うことでプレキャスト製品による擁壁を適用する利点である工期の短縮化をさらに促し得る態様として、土台コンクリート内に鉄筋を配していない態様を挙げることができる。このような態様であっても、底版とアンカー部材とが強固に係り合っているため、軟弱とされる地盤であっても安定して擁壁を施工することができる。
【００２３】
そして底版をより安定させた状態で据え付け得るアンカー部材の一態様としては、抜け止め部が、軸挿入部の軸心周りに螺旋状に形成された螺旋要素である態様を挙げることができる。
【発明の効果】
【００２４】
本発明によれば、施工箇所への適用性が高く、且つ容易に施工し得るプレキャストコンクリート製品からなる擁壁を提供することができる。
【図面の簡単な説明】
【００２５】
【図１】本発明の一実施形態に係る模式的な外観図。
【図２】同実施形態に係る構成説明図。
【図３】同実施形態に係る擁壁の断面図。
【図４】同実施形態に係る作用説明図。
【図５】同実施形態の変形例に係る説明図。
【図６】同実施形態の他の変形例に係る構成説明図。
【図７】同上。
【発明を実施するための形態】
【００２６】
以下、本発明の一実施の形態について図面を参照して説明する。
【００２７】
本実施形態に係るプレキャストコンクリート製品である擁壁Ｙは、図１及び図２に示すように、例えば地形に対し、土砂の安息角以上の傾斜をもって段差を設けたい施工箇所へ施工するためのものである。本実施形態ではその一例として、たて壁５を底版４から垂直に立ち上げて設けた擁壁Ｙを図示し説明するものとするが、勿論たて壁５が立設される角度を限定するものではない。
【００２８】
擁壁Ｙは、土台コンクリートＳＣ上に配されている。具体的には、支持層Ｓ上に打設された土台コンクリートＳＣの縁部から例えば１０ｃｍ程度内側に縁が位置付けられるように配される。また、たて壁５を露出させている側では、例えばたて壁５が５０ｃｍ以上埋まる程度に土砂Ｄが積層される。なお土台コンクリートＳＣの上面には図示しない敷モルタルが配されるが、当該構成は周知であるため詳細な説明は省略する。また、底版４が土台コンクリートＳＣ上に配される具体的な態様については後に説明する。
【００２９】
また底版４の上方においては自由端５ａ近傍にまで土砂Ｄが積層されている。当該土砂Ｄの内部においては、水抜孔５３の下方に止水コンクリートＷＣが配され、当該止水コンクリートＷＣ上に砕石部ＳＴが積層されることで、水抜孔５３からのスムーズな排水が促される。またたて壁５に設けられた水抜孔５３にはフィルタ材Ｆを被覆しておく事で、不要な土砂Ｄの流出が防止される。
【００３０】
たて壁５は、例えば５ｍ以上の寸法を有するものであり、底版４上に配された一端側の土砂Ｄが上端である自由端５ａ近傍まで積層されるとともに、段差表面に露出する他端側においては５０ｃｍ程度立設される箇所まで土砂Ｄが積層されてなる。このたて壁５は、自由端を含む上側の約半分程度の領域を、厚み寸法を略等しく構成した上壁部５１とし、この上壁部５１の下端から底版４までの領域を、底版４へ近付くに従って漸次厚み寸法を大きく構成した下壁部５２とし、この下壁部５２には開口である前記水抜孔５３を穿っている。これら上壁部５１、下壁部５２及び水抜孔５３の寸法、形状は施工箇所の状況や、施工後に予想される荷重に応じて適宜設定されるものであるため、詳細な説明は省略する。
【００３１】
底版４は、例えば延出長さが、たて壁５の設定高さに応じて設定されるものであるが、本実施形態ではたて壁５の寸法の半分以下である２ｍ〜２．５ｍ程度の寸法を有する。また、底版４はその一端を自由端４ａとしながら土砂Ｄに埋められてなる。また本実施形態では底版４は、たて壁５に接合する基端部に、約４５°上面を傾斜させて肉厚としたハンチ４２を形成している。しかし斯かる底版４の構成は上記たて壁５同様、適宜設定されるものであるため、詳細な説明は省略する。
【００３２】
ここで、本実施形態に係る擁壁Ｙは、底版４が、据付対象である支持層Ｓに一部が埋設された状態で上下方向への移動が禁止されるアンカー部材１を取り付けるための開口たるボルト挿通孔３３、アンカー部材１の底版４に対する下方向の移動を禁止する下移動禁止面たる下向面３２、及びアンカー部材１の底版４に対する上方向の移動を禁止する上移動禁止面たる上向面３１を有するアンカー取付部３を具備することを特徴とするものである。
【００３３】
以下、アンカー取付部３の構成を、アンカー部材１の構成と併せて説明する。なお本実施形態において図２及び図６については、一方のアンカー部材１の破線による図示を省略している。
【００３４】
アンカー取付部３は、本実施形態では底版４の、たて壁５から延出する延出方向の略中央に設けられているが勿論、図示よりも立て壁５寄りの位置に位置付けても、また自由端４ａ近傍に位置付けても良い。またこのアンカー取付部３は単一のプレキャストコンクリート製品である擁壁Ｙに対し、所定間隔で二つ設けられている。このアンカー取付部３は、アンカー部材１を取りつけるための開口である例えば四つのボルト挿通孔３３と、このボルト挿通孔３３の周辺においてアンカー部材１の上端部分に挟持されるための上移動禁止面たる上向面３１と、下移動禁止面である下向面３２と、この上向き面を底版４の上面よりも下方に位置付けるために底版４の一部を凹ませて形成した収容凹部３４とを有している。なお下向面３２は、本実施形態では底版４の下面に対し面一である。換言すればボルト挿通孔３３が穿たれた周辺においてアンカー部材１に下方から接する底版４の一領域が、下向面３２に設定される。また本実施形態では、アンカー部材１取付後の上記収容凹部３４を被覆し、底版４の上面に対し面一とし得る詰めモルタル３５をさらに有している。この詰めモルタル３５は図面では模式的に図示しているがその詳細な一例としては、まず収容凹部３４に無収縮モルタルを充填し、さらにその上面をエポキシ樹脂により被覆するといった態様が挙げられる。これによりアンカー部材１取付後の作業中にアンカー取付部３又はアンカー部材１が作業者の作業に支障を来してしまうことは無い。また勿論当該詰めモルタル３５を設けず、アンカー部材１取付後の収容凹部３４をそのまま露出させるようにしても良い。
【００３５】
そして、このアンカー取付部３に取り付けられるアンカー部材１は、支持層Ｓに埋設されるアンカー本体１０と、このアンカー本体１０の上部に固定されるとともにアンカー取付部３に上下から挟み込んで取り付ける固定板１１と、これら固定板１１を上下方向に押圧すべく緊締する緊締具１２とを有している。アンカー本体１０は、例えば先端を尖らせて形成した鋼製の棒材である挿入軸部１３と、この挿入軸部１３の軸心周りに形成された抜け止め部１４とを有している。本実施形態では当該抜け止め部１４として、挿入軸部１３の軸心周りに螺旋状に取り付けられた概略螺旋板状の螺旋要素１７を適用している。そして固定板１１は、アンカー本体１０の上端に一体的に形成されるか或いは固定されつつ底版４の下側に配されボルト１２ａを挿通するための下ボルト孔１６ａを有する下固定板１６と、アンカー本体１０とは別体に構成され収容凹部３４に上方から収容されボルト１２ａを挿通するための上ボルト孔１５ａを有する上固定板１５とを有している。また緊締具１２は、少なくとも上端に、図示例では両端に雄ねじ加工が施されたボルト１２ａと、当該ボルト１２ａに螺合し得るナット１２ｂとを有している。これらボルト１２ａ及びナット１２ｂは既存のものを適宜利用し得る。また勿論、図示しないが下固定板１６とボルト１２ａとの接続に際してはナット１２ｂを用いずに、溶接による固定としても良い。
【００３６】
しかして本実施形態では、上述した擁壁Ｙを、予め支持層Ｓ及び土台コンクリートＳＣに対し移動し得ないように位置付けられたアンカー部材１に固定されながら据え付けられる。すなわち本実施形態に係る擁壁Ｙの据付方法は、擁壁Ｙを据え付ける据付対象である支持層Ｓにアンカー部材１を埋設するアンカー埋設工程と、このアンカー埋設工程によりアンカー部材１が埋設された支持層Ｓに土台コンクリートＳＣを設けるべくコンクリートを打設するコンクリート打設工程と、このコンクリート打設工程により設けられた土台コンクリートＳＣ上に露出したアンカー部材１にアンカー取付部３が係り合うように擁壁Ｙを載置する擁壁載置工程と、アンカー部材１をアンカー取付部３に対し緊締するアンカー緊締工程とを有することを特徴とする。
【００３７】
すなわち本実施形態に係る据付方法により、擁壁Ｙは図４に示すように取り付けられる。すなわち同図に示すように、これら挿入軸部１３及び抜け止め部１４の一部が土台コンクリートＳＣ内に配され、図示しない下側にナット１２ｂが螺合されたボルト１２ａを下ボルト孔１６ａに挿通した状態にある下固定板１６の上面が、土台コンクリートＳＣの表面に対して面一となるようにアンカー部材１が配置される。換言すれば上記アンカー埋設工程においてアンカー部材１は、アンカー本体１０は土台コンクリートＳＣ打設前の支持層Ｓに対し軸心周りに回転させながら螺旋形状が奏する作用によって下降するようにして支持層Ｓに埋設される。このときアンカー本体１０は、上端の一部のみが支持層Ｓから表出した状態にある。しかる後、土台コンクリートＳＣを下固定板１６の上面の高さまで打設してゆく。詳細には図示しない敷モルタルにより上面の微調整を行うようにしている。そして本実施形態では、土台コンクリートＳＣ内に鉄筋を配していないため、土台コンクリートＳＣの打設を迅速に行うことができる。
【００３８】
以上のような構成とすることにより、本実施形態に係る擁壁Ｙは、底版４にアンカー取付部３を設けることによって、底版４がたて壁５の下端から延出する寸法をこれまでよりも小さくしても、支持層Ｓに上下動が禁止された状態で埋設されたアンカー部材１に対し底版４の上下動が禁止されているので、擁壁Ｙの滑動及び転倒に対する耐性を有効に向上させることができる。つまり、施工箇所においてこれまでよりも土を掘削し得る面積が小さい場合であっても滑動及び転倒という不具合を有効に回避せしめている。換言すれば、掘削する面積を小さくして掘削土量を少なくすることにも貢献している。加えて据え付ける対象である地盤が軟弱であるとされる場合であっても上述したアンカー部材１の作用によって、滑動及び転倒という不具合をより有効に回避し得ている。
【００３９】
そして施工箇所への運搬をより行い易くするために本実施形態では、底版４の寸法を、たて壁５の寸法の半分以下に設定するようにしている。これにより、外形のコンパクト化による効率の高い運搬が行われるのみならず擁壁Ｙ自体の軽量化も図られ、据付もより容易なものとしている。しかも擁壁Ｙ自体の外形が有効に削減されることによって、擁壁Ｙを保管するための保管スペースも有効に削減せしめている。
【００４０】
すなわち、底版４の延出寸法を小さくした結果、擁壁Ｙ全体の外形、すなわちコンクリート製品を運搬するために必要な容積を小さくすることを実現している。これにより、限られた容積内に擁壁Ｙを積載する際に生じる空きスペースを小さくして擁壁Ｙの運搬性能を向上させることに寄与している。すなわち本実施形態によれば、施工箇所への適用性が高く、且つ容易に施工し得るプレキャストコンクリート製品からなる擁壁Ｙの提供を実現している。
【００４１】
そして底版４の上下方向の移動のみならず水平方向の移動をも有効に禁止する事で、特に滑動に対する耐性をより有効に向上させるために本実施形態では、アンカー取付部３を複数設けたものとしている。これにより、単一のアンカー部材１を中心とした水平方向に回転するような滑動をも有効に禁止せしめている。
【００４２】
アンカー取付部３又はアンカー部材１が擁壁Ｙの据付、施工後の一連の作業に干渉してしまうことを有効に回避するための構成として本実施形態ではアンカー取付部３に、アンカー部材１の上端を底版４の上面よりも下側に位置付けるための収容凹部３４を設けるようにしている。
【００４３】
アンカー取付部３がアンカー部材１に対し緊締具１２であるボルト１２ａ及びナット１２ｂにより固定され得るようボルト挿通孔３３を設けることにより、擁壁Ｙの据付がより迅速且つ正確に行い得るものとなっている。また本実施形態ではアンカー部材１が螺旋要素１７を有するものであり、この螺旋要素１７を支持層Ｓに埋設するときに軸挿入部の軸心周りに回転させる手法を用いた場合、下固定板１６に予め配されるボルト１２ａの位置とボルト挿通孔３３の位置とがずれる可能性もある。よって本実施形態では図示のボルト挿通孔３３に代えて、例えば軸挿入部の軸心周りに湾曲した形状のボルト挿通孔３３を設けても良い。
【００４４】
また本実施形態では、アンカー取付部３を、底版４における当該底版４の延出方向の中央に位置付けたものとしているが、底版４をより安定させて据え付け得るために、アンカー取付部３をたて壁５に近接させれば、下移動禁止面たる下向面３２が有効に作用し上方からの荷重に対する耐性を高くすることができる。またアンカー取付部３を自由端４ａに近接させて設ければ、上移動禁止面たる上向面３１が有効に作用して引き抜き抵抗が増し、転倒に対する耐性がより高まる。
【００４５】
ここで、上述した擁壁Ｙを施工箇所に迅速且つ確実に据え付けるための本実施形態に係る擁壁Ｙの据付方法は、擁壁Ｙを据え付ける据付対象である支持層Ｓにアンカー部材１を埋設するアンカー埋設工程と、このアンカー埋設工程によりアンカー部材１が埋設された支持層Ｓに土台コンクリートＳＣを設けるべくコンクリートを打設するコンクリート打設工程と、このコンクリート打設工程により設けられた土台コンクリートＳＣ上に露出したアンカー部材１にアンカー取付部３が係り合うように擁壁Ｙを載置する擁壁載置工程と、アンカー部材１をアンカー取付部３に対し緊締するアンカー緊締工程とを有するものとしている。
【００４６】
加えて、アンカー部材１がより安定した状態で擁壁Ｙを据え付けるようにするために本実施形態では、アンカー部材１が支持層Ｓに挿入される挿入軸部１３とこの挿入軸部１３の軸心周りに設けられ支持層Ｓに対する軸方向の移動を禁止するための抜け止め部１４を有するものであり、これら挿入軸部１３及び抜け止め部１４の一部が土台コンクリートＳＣ内に配されるようにしている。
【００４７】
特に本実施形態では、擁壁Ｙの据付を含めた工期の短縮化をさらに促し得るようにすべく、土台コンクリートＳＣ内に鉄筋を配していない態様を適用している。すなわちこのような態様であっても、底版４とアンカー部材１とが強固に係り合っているため、軟弱とされる地盤であっても安定して擁壁Ｙを施工することができる。
【００４８】
そして底版４をより安定させた状態で据え付け得るとともに、支持層Ｓへの埋設を行い易いアンカー部材１の一態様として本実施形態では、抜け止め部１４が、軸挿入部の軸心周りに螺旋状に形成された螺旋要素１７としている。
【００４９】
＜変形例１＞
以下、本実施形態の各変形例について説明する。なおこれら変形例について、上記実施形態の構成要素に相当するものに対しては同じ符号を付すとともに、その詳細な説明を省略する。
【００５０】
上記実施形態ではアンカー部材１が、支持層Ｓに埋設されるための螺旋要素１７を有したものを適用したが、当該螺旋要素１７に代えて異なる構成要素を配した図５に示すようなアンカー部材１を適用しても良い。同図左側は上記螺旋要素１７に代えて、挿入軸部１３に対し間欠的に径が大きくなるよう概略節状に膨出させた立節要素１８を適用したものと示している。同図右側は、上記螺旋要素１７に代えて挿入軸部１３に対し間欠的に径が大きくなるようにしている点では立節要素１８と同様であるが、挿入軸部１３から断面視頂点を上側に偏位させた三角形状に膨出させて設けたくさび要素１９を設けた態様を示している。
【００５１】
これらのようなものであっても、挿入時に回転させながら挿入し得る点以外では、上記実施形態と同様の作用効果を奏する。
【００５２】
＜変形例２＞
続いて本変形例では図６に示すように、アンカー取付部３が収容凹部３４を有していない態様を図示している。すなわち本変形例では、底版４に対しボルト１２ａを挿入し得るボルト挿通孔３３を設けるのみでアンカー取付部３を構成した態様を開示している。このようなものであれば、上記実施形態同様の作用効果を奏するのみならず、容易にアンカー取付部３を形成し得る点で上記実施形態からの更なる利点を有する。なお同図に示すボルト挿通孔３３も上記実施形態同様、軸挿入部の軸心周りの配置を許容すべく、当該軸心周りに湾曲した形状のボルト挿通孔３３を設けても良いことはいうまでもない。
【００５３】
＜変形例３＞
また、上記実施形態及び各変形例ではアンカー取付部３が上移動禁止面たる上向面３１及び下移動禁止面たる下向面３２を両方備えている態様を開示したが勿論、本発明に係るアンカー取付部３は、下移動禁止面たる下向面３２を設けず、上移動禁止面たる上向面３１のみを有した態様であっても良い。
【００５４】
すなわち本変形例では図７に示すように、底版４側には開口としてボルト挿通孔３３ではなく、アンカー部材１のアンカー本体１０を挿通させ得る単一のアンカー挿通孔３６を設けるとともに、当該アンカー挿通孔３６の上側に上向面３１を設けている。換言すれば収容凹部３４の中間位置に設けられた段部が上向面３１である。
【００５５】
アンカー部材１は、上記実施形態同様のアンカー本体１０の上端に、例えば溶接等によって円盤状の上固定板１５を設けた形状をなす。この上固定板１５には上記実施形態のような上ボルト孔１５ａは無い。その代わりこの上固定板１５には下方へ詰めモルタル３５を注入するためのモルタル注入口１５ｂを、例えば一箇所に形成している。
【００５６】
加えて、上記実施形態及び各変形例にて示した擁壁Ｙの据付方法では、アンカー埋設工程は土台コンクリートＳＣを打設するに先だって行っていたが、本変形例では土台コンクリートＳＣ打設後にアンカー埋設工程を行っている。この場合同図の態様では、土台コンクリートＳＣにはアンカー部材１埋設時に干渉しないよう、予め図示しない開口や切欠を形成してある。そして斯かるアンカー部材１の上固定板１５を上向面３１に接するか略接する位置まで埋設した後、上固定板１５に設けられたモルタル注入口１５ｂへ詰めモルタル３５を注入している。すなわち、当該詰めモルタル３５が上記実施形態のボルト１２ａ及びナット１２ｂからなる緊締具に変わる本発明に係る緊締具として作用するとともに、この詰めモルタル３５を注入する工程がアンカー緊締工程に相当する。
【００５７】
なお、図示しないが底版４の上面と詰めモルタル３５が面一となるように仕上げておくことが望ましいが、収容凹部３４の最上面のみ、別途エポキシ樹脂等でコーティングしても良い。
【００５８】
このようなものであっても上記実施形態並びに各変形例同様、擁壁の滑動並びに転倒を有効に抑制し得る。
【００５９】
以上、本発明の実施形態について説明したが、各部の具体的な構成は、上述した実施形態のみに限定されるものではなく、本発明の趣旨を逸脱しない範囲で種々変形が可能である。
【００６０】
例えば、上記実施形態ではアンカー取付部のボルト挿通孔を四つ設けたアンカー取付部及び当該アンカー取付部に態様するアンカー部材を開示したが、これはボルト挿通孔の数を限定するものではない。すなわち、単一のボルト挿通孔を有するアンカー取付部及びそれに対応するアンカー部材を用いても良い。この場合、具体的には収容凹部の中央に単一のボルト挿通孔を有する態様も含まれる。
【００６１】
上記実施形態ではアンカー取付部を取り付けるための固定板が底版を上下から挟持する態様としていたため、上移動禁止面は上端に、下移動禁止面は下端に形成されたが、固定板が底版内で上下に突っ張るような態様であればこれら上移動禁止面、下移動禁止面が形成される位置が異なることはいうまでもなく、またこれらが必ずしも平面として構成される必要もない。また例えば、上記実施形態ではアンカー取付部を底版の延出方向中央に設けた態様を開示したが上述の通り、例えば転倒防止をより重要に鑑みた場合には、アンカー取付部を延出方向中央よりも自由端寄りに配しても良く、荷重への耐性をより重要とする場合にはアンカー取付部を延出方向中央よりもたて壁寄りに配しても良い。加えて上記実施形態及び各変形例ではアンカー取付部について、上移動禁止面のみのものと、上下の移動禁止面を有するものを別に図示していたが勿論、これら両方のアンカー取付部を単一の擁壁に同時に設けても良い。またたて壁や底版の寸法、具体的形状といった具体的な態様は上記実施形態のものに限定されることはなく、既存のものを含め、種々の態様のものを適用することができる。
【００６２】
その他、各部の具体的構成についても上記実施形態に限られるものではなく、本発明の趣旨を逸脱しない範囲で種々変形が可能である。
【産業上の利用可能性】
【００６３】
本発明は道路等を施工する際に一部を土中に埋設される擁壁として利用することができる。
【符号の説明】
【００６４】
１…アンカー部材
３…アンカー取付部
３１…上移動禁止面（上向面）
３２…下移動禁止面（下向面）
３３…開口
４…底版
４ａ…自由端
５…たて壁
５ａ…自由端
Ｙ…擁壁
【図１】
2016160628.tif 000003
【図２】
2016160628.tif 000004
【図３】
2016160628.tif 000005
【図４】
2016160628.tif 000006
【図５】
2016160628.tif 000007
【図６】
2016160628.tif 000008
【図７】
2016160628.tif 000009
【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
プレキャストコンクリート製品からなり、一端が自由端である底版と、この底版の他端縁から上方に立設されるたて壁とを有する擁壁であって、
前記底版が、据付対象である支持層に一部が埋設された状態で上下方向への移動が禁止され、支持層に埋設されるアンカー本体、このアンカー本体の上部に固定される上下対をなす固定板及びこれら固定板を上下方向に押圧する緊締具を有するアンカー部材を取り付けるための開口、前記アンカー部材に対する前記底版の上方向の移動を禁止する上移動禁止面及び前記アンカー部材に対する前記底版の下方向の移動を禁止する下移動禁止面を有するアンカー取付部を具備し、
このアンカー取付部を含む底版が前記アンカー部材の固定板に上下から挟み込まれた状態で、設置されることを特徴とする擁壁。
【請求項２】
プレキャストコンクリート製品からなり、一端が自由端である底版と、この底版の他端縁から上方に立設されるたて壁とを有する擁壁であって、
前記底版が、据付対象である支持層に一部が埋設された状態で上下方向への移動が禁止されアンカー部材を取り付けるための開口及び前記アンカー部材に対する前記底版の上方向の移動を禁止する上移動禁止面を有するアンカー取付部を具備してなり、
前記アンカー取付部が、上面側に何も突出されるものがない上取付板をアンカー本体の上端に設けてなるアンカー部材を取り付けるためのものであって、前記アンカー本体を挿通させるための前記開口と、この開口の上側に設けられ前記上取付板の下面に当接する前記上移動禁止面とを備えたものであることを特徴とする擁壁。
【請求項３】
前記底版の寸法が、前記たて壁の寸法の半分以下に設定されている請求項１又は２記載の擁壁。
【請求項４】
前記アンカー取付部を複数有している請求項１、２又は３記載の擁壁。
【請求項５】
前記アンカー取付部が、前記アンカー部材の上端を前記底版の上面よりも下側に位置付けるための収容凹部を有している請求項１、２、３又は４記載の擁壁。
【請求項６】
請求項１に記載の擁壁を施工箇所に据え付けるための擁壁の据付方法であって、
擁壁を据え付ける据付対象である支持層にアンカー部材を埋設するアンカー埋設工程と、前記支持層に土台コンクリートを設けるべくコンクリートを打設するコンクリート打設工程と、
このコンクリート打設工程により設けられた土台コンクリート上に前記擁壁を載置する擁壁載置工程と、
前記アンカー部材の固定板を前記アンカー取付部に対し上下から挟み込んで取り付けるべく緊締するアンカー緊締工程と
を有することを特徴とする擁壁の据付方法。
【請求項７】
前記アンカー部材が前記支持層に挿入される挿入軸部とこの挿入軸部の軸心周りに設けられ前記支持層に対する軸方向の移動を禁止するための抜け止め部を有するものであり、これら挿入軸部及び抜け止め部の一部が前記土台コンクリート内に配される請求項６記載の擁壁の据付方法。
【請求項８】
前記土台コンクリート内に鉄筋を配していない請求項７記載の擁壁の据付方法。
【請求項９】
前記抜け止め部が、前記挿入軸部の軸心周りに螺旋状に形成された螺旋要素である請求項７又は８記載の擁壁の据付方法。
【手続補正２】
【補正対象書類名】明細書
【補正対象項目名】００１０
【補正方法】変更
【補正の内容】
【００１０】
すなわち請求項１記載の発明に係る擁壁は、プレキャストコンクリート製品からなり、一端が自由端である底版と、この底版の他端縁から上方に立設されるたて壁とを有する擁壁であって、前記底版が、据付対象である支持層に一部が埋設された状態で上下方向への移動が禁止され、支持層に埋設されるアンカー本体、このアンカー本体の上部に固定される上下対をなす固定板及びこれら固定板を上下方向に押圧する緊締具を有するアンカー部材を取り付けるための開口、前記アンカー部材に対する前記底版の上方向の移動を禁止する上移動禁止面及び前記アンカー部材に対する前記底版の下方向の移動を禁止する下移動禁止面を有するアンカー取付部を具備し、このアンカー取付部を含む底版が前記アンカー部材の固定板に上下から挟み込まれた状態で、設置されることを特徴とする。
【手続補正３】
【補正対象書類名】明細書
【補正対象項目名】００１２
【補正方法】変更
【補正の内容】
【００１２】
このようなものであれば、底版にアンカー取付部を設けることによって、底版がたて壁の下端から延出する寸法をこれまでよりも小さくしても、支持層に上下動が禁止された状態で埋設されたアンカー部材に対し底版の上移動が禁止されるので、滑動及び転倒に対する耐性を有効に向上させることができる。施工箇所においてこれまでよりも土を掘削し得る面積が小さい場合であっても滑動及び転倒という不具合を有効に回避することができる。換言すれば、掘削する面積を小さくして掘削土量を少なくすることにも資する。加えて据え付ける対象である地盤が軟弱であるとされる場合であっても上述したアンカー部材の作用によって、滑動及び転倒という不具合をより有効に回避し得る。
また、アンカー取付部が、アンカー部材に対する下方向の移動を禁止する下移動禁止面を有するので、軟弱地盤に対する適応性を更に向上させることもできる。
加えて、前記開口に、アンカー部材が有する緊締具が挿通されるので、アンカー取付部を簡素な構成として擁壁の製造をより容易なものとすることもできる。ここで、開口の数は限定されない。つまり、アンカー部材の形状や取付態様によって種々の形状を適用し得る。
【手続補正４】
【補正対象書類名】明細書
【補正対象項目名】００１３
【補正方法】変更
【補正の内容】
【００１３】
請求項２記載の発明に係る擁壁は、プレキャストコンクリート製品からなり、一端が自由端である底版と、この底版の他端縁から上方に立設されるたて壁とを有する擁壁であって、前記底版が、据付対象である支持層に一部が埋設された状態で上下方向への移動が禁止されアンカー部材を取り付けるための開口及び前記アンカー部材に対する前記底版の上方向の移動を禁止する上移動禁止面を有するアンカー取付部を具備してなり、前記アンカー取付部が、上面側に何も突出されるものがない上取付板をアンカー本体の上端に設けてなるアンカー部材を取り付けるためのものであって、前記アンカー本体を挿通させるための前記開口と、この開口の上側に設けられ前記上取付板の下面に当接する前記上移動禁止面とを備えたものであることを特徴とする。
このようなものであっても、本発明の最も主要な効果、すなわち、底版にアンカー取付部を設けることによって、底版がたて壁の下端から延出する寸法をこれまでよりも小さくしても、支持層に上下動が禁止された状態で埋設されたアンカー部材に対し底版の上移動が禁止されるので、滑動及び転倒に対する耐性を有効に向上させることができる。施工箇所においてこれまでよりも土を掘削し得る面積が小さい場合であっても滑動及び転倒という不具合を有効に回避することができる。換言すれば、掘削する面積を小さくして掘削土量を少なくすることにも資する。加えて据え付ける対象である地盤が軟弱であるとされる場合であっても上述したアンカー部材の作用によって、滑動及び転倒という不具合をより有効に回避し得るという効果を得ることができる。
【手続補正５】
【補正対象書類名】明細書
【補正対象項目名】００１８
【補正方法】削除
【補正の内容】
【手続補正６】
【補正対象書類名】明細書
【補正対象項目名】００２３
【補正方法】変更
【補正の内容】
【００２３】
そして底版をより安定させた状態で据え付け得るアンカー部材の一態様としては、抜け止め部が、前記挿入軸部の軸心周りに螺旋状に形成された螺旋要素である態様を挙げることができる。
【手続補正７】
【補正対象書類名】明細書
【補正対象項目名】００３２
【補正方法】変更
【補正の内容】
【００３２】
ここで、本実施形態に係る擁壁Ｙは、底版４が、据付対象である支持層Ｓに一部が埋設された状態で上下方向への移動が禁止されるアンカー部材１を取り付けるための開口たるボルト挿通孔３３、アンカー部材１に対する底版４の下方向の移動を禁止する下移動禁止面たる下向面３２、及びアンカー部材１に対する底版４の上方向の移動を禁止する上移動禁止面たる上向面３１を有するアンカー取付部３を具備することを特徴とするものである。